(57)【要約】【課題】本考案は、インナーキャップを装着する場合でも、眼鏡の着用が可能であり、かつ、眼鏡が脱落しにくい眼鏡保持機能付き被り物を提供することを目的とする。【解決手段】本考案に係る眼鏡保持機能付き被り物Ａは、該側面覆い部のそれぞれ外面に円盤状係止体１０を備え、また、側面覆い部それぞれ外面に帯状係止体２０を備え、前記円盤状係止体１０は、その周縁領域１１と側面覆い部Ａ３との間に隙間が形成され、前記帯状係止体２０は、その中間部２１と側面覆い部Ａ３との間に隙間が形成され、円盤状係止体１０及び帯状係止体２０により眼鏡ＢのつるＢ１が保持される。【選択図】        図２
0003177492.tif 000002
【実用新案登録請求の範囲】
【請求項１】
左右の側頭部をそれぞれ覆う側面覆い部を有する被り物であって、
該側面覆い部はそれぞれ、その外面における身体の耳に相当する位置に円盤状係止体を備え、また、側面覆い部の外面における身体のこめかみ部に相当する位置に帯状係止体を備え、
前記円盤状係止体は、その周縁領域と側面覆い部との間に隙間が形成されるように、円盤状係止体の中央領域が側面覆い部に縫着され、
前記帯状係止体は、その中間部と側面覆い部との間に隙間が形成されるように、帯状係止体の上下が側面覆い部に縫着されてなる
ことを特徴とする眼鏡保持機能付き被り物。
【考案の詳細な説明】
【技術分野】
【０００１】
本考案は、主として衛生的であることが要求される医薬品や食品などを取り扱う工場、半導体などの電子部品などを製造する工場で着用する被り物に関し、特に眼鏡保持機能を有する被り物に関する。
【背景技術】
【０００２】
特許文献１には、装着者の頭頂部、後頭部および両耳を覆い、開口縁に弾性帯を縫着した衛生キャップであって、この衛生キャップに一対の眼鏡のつる挿通部を設けた衛生キャップが示されている。当該衛生キャップは、つる挿通部を通じて眼鏡のつるを衛生キャップの外側から内側へ挿通し、着用者の耳に眼鏡のつるが掛けられるようにしたものである。
【０００３】
特許文献２には、一の布と他の布との縫い付け部分で一部を縫い付けないことにより挿通部を形成し、当該挿通部から眼鏡のつるを挿入させて前記着用者の耳に掛けられるようにしたフードが示されている。当該フードにおける挿通部の構成は、上記特許文献１に記載のつる挿通部とほぼ同一構成である。
【０００４】
特許文献３には、両耳部に相当する領域のそれぞれの外表面側に眼鏡のつる杆掛け部材片が配設された衛生キャップにおいて、該部材片に、装着者の前面から投影的に観たとき、該領域のキャップの外郭線と部材片の一部の輪郭線とが耳部上方に向って常時開放状態にある略「Ｖ」字状を形成し、該一部が該「Ｖ」字状の底点を支点として直立性を維持しながら揺動自在で、且つ該輪郭線の長さが１０〜５０ｍｍであること、装着者の側面から投影的に観たとき、該一部の面積が２〜２０ｃｍ2であること、および、該一部以外の残余の部分が、少なくとも局部的に該キャップの外表面に固着されていることを同時に具備させる衛生キャップが示されている。
【０００５】
特許文献４には、装着者の毛髪及び両耳を覆うと共に、顔面が露出する開口縁を設けた衛生キャップにおいて、両耳を覆う帽体の両側頭部に眼鏡のつるを支持するつる掛け部材が取り付けられ、該つる掛け部材は、帽体側頭部との取付部において眼鏡のつるを支持すると共に、周縁部が弾性変形して眼鏡のつるを押止する衛生キャップが示されている。
【先行技術文献】
【特許文献】
【０００６】
【特許文献１】特開平８−１５８１３４号公報
【特許文献２】特開２００２−１６１４２４号公報
【特許文献３】実用新案登録第３０６４３６８号公報
【特許文献４】特開２００６−１９３８６０号公報
【考案の概要】
【考案が解決しようとする課題】
【０００７】
しかしながら、両耳を覆うインナーキャップを装着した上に重ねて衛生キャップを装着する場合があり、そのような場合には、上記特許文献１及び２に示されるものは、インナーキャップの存在により、つる挿入部から眼鏡のつるを挿入してもつるは両耳に達せず、したがってつるが両耳に掛からないという欠点があった。
【０００８】
また、上記特許文献３に示されるものは、つる掛け部材が耳部上方に向かってＶ字状に開いているため、眼鏡の装着及び取り外しが容易であるが、その反面、眼鏡が脱落し易いという欠点がある。
【０００９】
さらに、上記特許文献３に示されるものは、両耳部に相当する領域のそれぞれの外表面側につる杆掛け部材片が配設されたものであり、上記特許文献４に示されるものは、両耳を覆う帽体の両側頭部に眼鏡のつるを支持するつる掛け部材が取り付けられたものであるため、マスクを着用する場合には、前記のつる杆掛け部材片及びつる掛け部材と兼用することとなり、マスクを外す際に眼鏡が脱落し易いという欠点がある。
【００１０】
そこで本考案者は、鋭意研究を重ね、インナーキャップを装着する場合でも、眼鏡の着用が可能であり、かつ、眼鏡が脱落しにくい眼鏡保持機能付き被り物を開発した。
【課題を解決するための手段】
【００１１】
本考案に係る眼鏡保持機能付き被り物は、左右の側頭部をそれぞれ覆う側面覆い部を有する被り物であって、該側面覆い部はそれぞれ、その外面における身体の耳に相当する位置に円盤状係止体を備え、また、側面覆い部の外面における身体のこめかみ部に相当する位置に帯状係止体を備え、前記円盤状係止体は、その周縁領域と側面覆い部との間に隙間が形成されるように、円盤状係止体の中央領域が側面覆い部に縫着され、前記帯状係止体は、その中間部と側面覆い部との間に隙間が形成されるように、帯状係止体の上下が側面覆い部に縫着されてなるものである。
【００１２】
上記のように構成したことにより、眼鏡のつるは、側面覆い部に備えた円盤状係止体及び帯状係止体の２箇所により保持される。
【考案の効果】
【００１３】
上記した本考案に係る眼鏡保持機能付き被り物は、側面覆い部に備えた円盤状係止体及び帯状係止体の２箇所により眼鏡のつるが保持されるので、眼鏡が容易に脱落しない利点がある。
【図面の簡単な説明】
【００１４】
【図１】本実施例に係る眼鏡保持機能付き被り物を前方から見た斜視図である。
【図２】本実施例に係る眼鏡保持機能付き被り物において、眼鏡を着用した状態を示す部分斜視図である。
【考案を実施するための形態】
【００１５】
以下に、本考案に係る眼鏡保持機能付き被り物（以下、単に「被り物」という。）の好適な実施例１について詳述する。
【実施例１】
【００１６】
図１において、Ａは本実施例に係る被り物であり、当該被り物Ａは、装着者の頭頂部を覆う天部Ａ１、後頭部を覆う後部Ａ２、左右の側頭部をそれぞれ覆う側面覆い部Ａ３からなり、顔面部を開口状態とする形態をなすものである。なお、被り物は上記本実施例に係る形態をなすものに限られるものではなく、左右の側頭部をそれぞれ覆う側面覆い部Ａ３を有していれば、どのような形態でも実施可能である。
【００１７】
左右の側面覆い部Ａ３は、それぞれその外面における身体の耳に相当する位置に円盤状係止体１０を備えている。当該円盤状係止体１０は、その周縁領域１１と側面覆い部３との間に隙間が形成されるように、円盤状係止体１０の中央領域１２が側面覆い部３に縫着されている。１３は縫い目線である。したがって、縫い目線１３で側面覆い部Ａ３に円盤状係止体１０が縫着され、縫い目線１３を境界にして、その内方である中央領域１２は側面覆い部Ａ３とにより閉塞空間が形成され、縫い目線１３の外方である周縁領域１１は、側面覆い部Ａ３から離間し、周縁領域１１と側面覆い部Ａ３との間に周方向に開放した隙間を形成している。
【００１８】
また、左右の側面覆い部Ａ３は、その外面における身体のこめかみ部に相当する位置に帯状係止体２０を備えている。当該帯状係止体２０は、その中間部２１と側面覆い部Ａ３との間に隙間が形成されるように、帯状係止体２０の上下が側面覆い部Ａ３に縫着されいる。２２及び２３は縫い目線である。したがって、縫い目線２１と縫い目線２２とで挟まれる中間部２１は側面覆い部Ａ３から離間し、中間部２１と側面覆い部Ａ３との間に幅方向に貫通した隙間を形成している。
【００１９】
図２において、Ｂは眼鏡を表し、Ｂ１は眼鏡Ｂのつるである。図に示すように、つるＢ１は、帯状係止体２０における中間部２１により形成される隙間を貫通し、円盤状係止体１０における周縁領域１１により形成される隙間に挟まれて保持されている。このように、眼鏡Ｂは、そのつるＢ１が被り物Ａの側面覆い部Ａ３における帯状係止体２０における中間部２１と円盤状係止体１０における周縁領域１１との２箇所で保持されることになる。
【００２０】
したがって、本実施例に係る被り物Ａは、円盤状係止体１０及び帯状係止体２０の２箇所により眼鏡ＢのつるＢ１が保持されるので、容易に脱落しないことになる。また、眼鏡ＢのつるＢ１を保持する円盤状係止体１０及び帯状係止体２０は被り物Ａの側面覆い部Ａ３に備えられているため、眼鏡ＢのつるＢ１は被り物Ａの内部に進入することがないので、被り物Ａの内側にインナーキャップ等の被り物を重ねて装着しても、眼鏡Ｂの保持には影響がない。
【００２１】
本考案のいくつかの実施形態を説明したが、これら実施形態は、例として提示したものであり、考案の範囲を限定することは意図していない。これら実施形態は、その他の様々な形態で実施されることが可能であり、考案の要旨を逸脱しない範囲で、種々の省略、置き換え、変更を行うことができる。これら実施形態やその変形は、考案の範囲や要旨に含まれると同様に、実用新案登録請求の範囲に記載された考案とその均等の範囲に含まれるものである。
【符号の説明】
【００２２】
Ａ・・・被り物              Ａ１・・天部
Ａ２・・後部                Ａ３・・側面覆い部
１０・・円盤状係止体        １１・・周縁領域
１２・・中央領域            １３・・縫い目線
２０・・帯状係止体          ２１・・中間部
２２・・縫い目線            ２３・・縫い目線
Ｂ・・・眼鏡                Ｂ１・・つる
【図１】
0003177492.tif 000003
【図２】
0003177492.tif 000004